(57)【要約】【課題】防音効果、断熱効果に優れた、構造が簡単で製造の容易な、軽量の回転ベーンポンプのカバーを得る。【解決手段】回転ベーンポンプ２０の周囲を空気の介在する消音空間１２をあけてカバー１０により覆う。ポンプ本体２２周囲を囲むカバー１０部分等は、内側に空気層を持つ二重壁構造とする。カバーの内側壁面１４は、カバーに設けられた空気吸入口１６からカバー１０内側に吸入した冷却用の空気を、ポンプの回転軸２４と共に回転する送風ファン３０により、ポンプ本体２２周囲面及びポンプの軸受け部２６周囲面を循環させて、カバーに設けられた空気排出口１８を通して、カバー１０外側に排出させるガイドをなすように構成する。【選択図】　　　　図１
2004027902.tif 000002
【特許請求の範囲】
【請求項１】
回転ベーンポンプの周囲を空気の介在する消音空間をあけて覆うカバーであって、
該カバーの少なくともポンプ本体周囲を囲む多くの部分が内側に空気層を持つ二重壁構造に形成され、該カバーの内側壁面が、前記カバーに設けられた空気吸入口を通して、カバー外部からカバー内側空間に吸入した冷却用の空気を、前記ポンプの回転軸と共に回転する送風ファンにより、ポンプ本体周囲面及びポンプの回転軸を支持する軸受け部周囲面を循環させて、前記カバーに設けられた空気排出口を通して、カバー外側に排出させるガイドをなしていることを特徴とする回転ベーンポンプのカバー。
【請求項２】
前記カバーが、ポンプの回転軸が、カップリングを介して、ポンプ駆動用の電動モータに直結されて、前記カップリングにポンプの回転軸と共に回転させる前記送風ファンが取着されたポンプのポンプ本体及び送風ファンの周囲を連続して覆う構造をしていて、前記送風ファンの周囲を覆うカバー部分には、冷却用の外気をカバー内側に吸い込む空気吸入口が設けられ、送風ファン側とは反対側の軸受け部が備えられたポンプ本体端部の周囲を覆うカバー部分には、前記空気吸入口からカバー内側に吸い込まれた空気をカバー外側に排出させる空気排出口が設けられた請求項１記載の回転ベーンポンプのカバー。
【請求項３】
前記カバーが、前記ポンプ本体の送風ファン側の端部とその反対側の端部の間のポンプ本体側面の周囲及び送風ファンの周囲を連続して覆うほぼ逆樋状のカバー本体と、送風ファン側とは反対側のポンプ本体端部の周囲を、前記ほぼ逆樋状のカバー本体の外側端部を封ずるように覆うカバー蓋とから構成され、該カバー蓋をポンプ本体にねじ止めすることにより、カバー蓋及びカバー本体をポンプ本体及び送風ファンの周囲を連続して覆った状態にポンプ本体に固定できるように構成された請求項２記載の回転ベーンポンプのカバー。
【請求項４】
前記ほぼ逆樋状のカバー本体の上部と左右の側部とがそれぞれ別体に形成されて、それらのカバー本体の上部と左右の側部とが、その左右のカバー本体の側部をカバー本体の上部に対してカバー本体外側に折り曲げて、カバー本体の内側空間を広げることが可能なように、ヒンジを介して、互いに連結された請求項３記載の回転ベーンポンプのカバー。
【請求項５】
前記カバーが、合成樹脂材を用いてブロー成形法により形成された請求項１、２、３又は４記載の回転ベーンポンプのカバー。
【発明の詳細な説明】
【０００１】
【発明の属する技術分野】
本発明は、回転ベーンポンプの周囲を覆って、ポンプが発する騒音がポンプ周囲に拡散するのを防いだり、高温となるポンプに人が触れて火傷を負うのを防いだりするための、回転ベーンポンプのカバーに関する。
【０００２】
【従来の技術】
上記のカバーは、例えば特開２００１−１１５９６１公報に記載されたように、一般に、金属板を折り曲げる等して形成されていて、消音室や冷却用の空気流通路を備えた複雑な構造をしている。
他方、カバー内側に収容された回転ベーンポンプは、カーボン等で形成されたベーンがシリンダやサイドプレートの内側壁を摺接しながら、ロータと共に回転する構造をしていて、そのベーンが摩耗する。そのために、回転ベーンポンプの使用に際しては、そのベーンの定期的な交換が必要となる。また、ベーンとシリンダやサイドプレートとの間に発生する摩擦熱等により、回転中のロータを支えるポンプの回転軸を支持する軸受け部は、高温となる。そのために、その軸受け部に装備されたベアリングが、高温に晒されることとなって、そのベアリングの交換も定期的に必要となる。
【０００３】
【発明が解決しようとする課題】
しかしながら、従来一般のカバーは、上記のように、消音室や冷却用の空気流通路を備えた複雑な構造をしていて、そのカバー内側に収容されたポンプを、カバー外側に取り出す作業に、多大な時間と手数を要した。そのために、そのカバー内側に収容されたポンプの摩耗したベーンの交換や、その軸受け部に装備されたベアリングの交換等のメンテナンス作業に多大な手数と時間を要した。また、そのメンテナンスを終了したポンプをカバー内側に収容し直す作業にも、多大な手数と時間を要した。さらに、カバー内側からポンプを取り出す作業、及びカバー内側にポンプを収容し直す作業共、ポンプをその設置場所から障害物のない上方空間に取り上げて、そのポンプ周囲を覆っているカバーの固定ボルト等を取り外したり、その固定ボルト等を取り付けし直したりする必要があって、その作業性が極めて悪かった。
【０００４】
本発明は、このような課題を解消可能な、回転ベーンポンプのカバー（以下、カバーという）を提供することを目的としている。
【０００５】
【課題を解決するための手段】
このような目的を達成するために、本発明のカバーは、回転ベーンポンプの周囲を空気の介在する消音空間をあけて覆うカバーであって、
該カバーの少なくともポンプ本体周囲を囲む多くの部分が内側に空気層を持つ二重壁構造に形成され、該カバーの内側壁面が、前記カバーに設けられた空気吸入口を通して、カバー外部からカバー内側空間に吸入した冷却用の空気を、前記ポンプの回転軸と共に回転する送風ファンにより、ポンプ本体周囲面及びポンプの回転軸を支持する軸受け部周囲面を循環させて、前記カバーに設けられた空気排出口を通して、カバー外側に排出させるガイドをなしていることを特徴としている。
【０００６】
このカバーにおいては、ポンプとその周囲を覆うカバーとの間の空気の介在する消音空間により、ポンプが発生する騒音が、カバー外側に漏れ出すのを、カバーと共に、効率よく防ぐことができる。
ここで、ポンプ周囲とカバーとの間に上記の空気の介在する消音空間が存在すれば、ポンプの騒音がカバー外側に漏れ出すのを、効率よく防げることは、実験により確認されている。
【０００７】
また、そのポンプ本体周囲を囲む二重壁構造に形成されたカバー部分内側の断熱効果の高い空気層により、動作中のポンプが発する高熱が、その二重壁構造に形成されたカバー部分を通して、カバー外側に伝わるのを、確実に防ぐことができる。そして、そのカバー外壁が高温となって、そのカバー外壁に触れた人が火傷を負うのを防ぐことができる。
さらに、そのポンプ本体周囲を囲む二重壁構造に形成されたカバー部分内側の空気層により、動作中のポンプが発する騒音が、そのカバー部分外側に漏れ出すのを、効率よく防ぐことができる。
【０００８】
また、空気吸入口からカバー内側空間に吸入されて、回転する送風ファンからから送り出される冷却用の空気を、カバーの内側壁面をガイドに用いて、ポンプ本体周囲面及びポンプの回転軸を支持する軸受け部周囲面を、満遍なく無駄なく確実に循環させることができる。そして、その動作中に高温となるポンプ本体及び軸受け部を、送風ファンから送り出される冷却用の空気により、効率よく冷却できる。
【０００９】
本発明のカバーにおいては、前記カバーが、ポンプの回転軸が、カップリングを介して、ポンプ駆動用の電動モータに直結されて、前記カップリングにポンプの回転軸と共に回転させる前記送風ファンが取着されたポンプのポンプ本体及び送風ファンの周囲を連続して覆う構造をしていて、前記送風ファンの周囲を覆うカバー部分には、冷却用の外気をカバー内側に吸い込む空気吸入口が設けられ、送風ファン側とは反対側の軸受け部が備えられたポンプ本体端部の周囲を覆うカバー部分には、前記空気吸入口からカバー内側に吸い込まれた空気をカバー外側に排出させる空気排出口が設けられた構造とすることを好適としている。
【００１０】
このカバーにあっては、電動モータにより、送風ファンを、カップリング及びポンプの回転軸と共に回転させることができる。そして、そのカバー内側で回転する送風ファンにより、送風ファンの周囲を覆うカバー部分に設けられた空気吸入口から冷却用の外気を、カバーの内側空間に吸い込むことができる。そして、その吸い込んだ冷却用の空気を、回転する送風ファンにより、カバーの内側壁面をガイドに用いて、カバー内側のポンプ本体周囲面や軸受け部周囲面を満遍なく確実かつ円滑に循環させることができる。そして、その冷却用の空気により、ポンプ本体や軸受け部を効率よく冷却できる。ポンプ本体周囲面や軸受け部周囲面を循環させた空気は、送風ファン側とは反対側の軸受け部が備えられたポンプ本体端部の周囲を覆うカバー部分に設けられた空気排出口からカバー外側に排出できる。
【００１１】
また、上記のカバーにおいては、該カバーが、前記ポンプ本体の送風ファン側の端部とその反対側の端部の間のポンプ本体側面の周囲及び送風ファンの周囲を連続して覆うほぼ逆樋状のカバー本体と、送風ファン側とは反対側のポンプ本体端部の周囲を、前記ほぼ逆樋状のカバー本体の外側端部を封ずるように覆うカバー蓋とから構成され、該カバー蓋をポンプ本体にねじ止めすることにより、カバー蓋及びカバー本体をポンプ本体及び送風ファンの周囲を連続して覆った状態にポンプ本体に固定できるように構成された構造とすると良い。
【００１２】
その場合には、カバー蓋をポンプ本体にねじ止めしているねじを取り外すことにより、カバー蓋を、ポンプ本体及びカバー本体から取り外すことができる。そして、そのカバー蓋で覆われていた送風ファン側とは反対側の軸受け部が備えられたポンプ本体の端部をカバー外部に露呈させることができる。そして、そのカバー外部に露呈したポンプ本体端部のポンプの回転軸を支持する軸受け部に装備されたベアリングの交換や、ロータに嵌挿されたベーンの交換等を、カバー本体を含むカバー全体をポンプから取り外さずとも、手数を掛けずに容易かつ迅速に行うことができる。
また、そのベアリングやベーン等の交換を終えた後に、ポンプ周囲をカバーにより覆い直す際にも、そのポンプ本体及びカバー本体から取り外したカバー蓋をポンプ本体にねじ止めし直すだけで、そのカバー蓋及びカバー本体をポンプ本体及び送風ファンの周囲を連続して覆った状態にポンプ本体に固定できる。そして、そのカバー蓋及びカバー本体によりポンプの周囲を容易かつ迅速に連続して覆い直すことができる。
【００１３】
さらに、上記のカバーにおいては、そのほぼ逆樋状のカバー本体の上部と左右の側部とがそれぞれ別体に形成されて、それらのカバー本体の上部と左右の側部とが、その左右のカバー本体の側部をカバー本体の上部に対してカバー本体外側に折り曲げて、カバー本体の内側空間を広げることが可能なように、ヒンジを介して、互いに連結された構造とすると良い。
【００１４】
その場合には、そのほぼ逆樋状のカバー本体をポンプの周囲から取り外す際に、その左右のカバー本体の側部を、それとは別体に形成されたカバー本体の上部に対して、ヒンジを中心に、カバー本体外側に折り曲げて、カバー本体の内側空間を広げることができる。そして、その広げられたカバー本体の内側空間からポンプを容易かつ迅速に取り出すことができる。そのために、そのカバー本体内側からポンプを取り出す際に、ポンプをその設置場所から取り外して、障害物のない上方空間に多大な手数を掛けて持ち上げる必要をなくすことが可能となる。
【００１５】
さらに、上記のカバーにおいては、該カバーが、形成作業の容易な合成樹脂材を用いてブロー成形法により形成された構造とすると良い。
【００１６】
その場合には、その二重壁構造等をしたカバーを、形成作業の容易な合成樹脂材を用いてブロー成形法により手数を掛けずに容易かつ迅速に成形できる。
また、合成樹脂材は、金属等に比べて、熱伝導性が低く、かつ、防音性にも優れている。そのために、その合成樹脂材からなるカバーにより、ポンプが発する騒音がカバー外側に漏れ出すのを、効率よく防ぐことができる。それと共に、その合成樹脂材からなるカバーにより、ポンプが発する熱が、カバー外部に伝わるのを、効率よく防ぐことができる。
さらに、合成樹脂材は、金属等に比べて、比重が小さいために、その合成樹脂材からなるカバーの軽量化を図れる。
【００１７】
【発明の実施の形態】
図１ないし図３は本発明のカバーの好適な実施の形態を示し、図１はその分解説明図、図２はその使用状態を示す正面図、図３はその使用状態を示す正面断面図である。以下に、このカバーを説明する。
【００１８】
図において、１０は、回転ベーンポンプ２０の周囲を空気の介在する消音空間１２をあけて覆うカバーである。
カバー１０の少なくともポンプ本体２２周囲を囲む多くの部分は、図３に示したように、内側に空気層１３を持つ二重壁構造に形成されている。
カバーの内側壁面１４は、該カバーに設けられた空気吸入口１６を通して、カバー１０外部からカバー内側空間に吸入した冷却用の空気を、ポンプの回転軸２４と共に回転する送風ファン３０により、ポンプ本体２２周囲面及びポンプの回転軸２４を支持する軸受け部２６周囲面を循環させて、カバーに設けられた空気排出口１８を通して、カバー１０外側に排出させるガイドをなしている。即ち、カバーの内側壁面１４が、送風ファン３０から送り出される冷却用の空気を、ポンプ本体２２周囲面及びポンプの回転軸２４を支持する軸受け部２６周囲面を満遍なく円滑かつ確実に循環させるためのガイドの作用をなす形状に形成されている。
カバー１０の空気吸入口１６や空気排出口１８等の開口部は、人の指が入らない大きさに形成されていて、人が怪我や火傷を負わないように構成されている。
【００１９】
そして、このような構成により、ポンプ２０とその周囲を覆うカバー１０との間の空気の介在する消音空間１２により、ポンプ２０が発生する騒音が、カバー１０外側に漏れ出すのを、カバー１０と共に、効率よく防げるようにしている。
【００２０】
また、そのポンプ本体２２周囲を囲む二重壁構造に形成されたカバー部分内側の断熱効果の高い空気層１３により、動作中のポンプ２０が発する高熱が、その二重壁構造に形成されたカバー１０部分を通して、カバー１０外側に伝わるのを、確実に防げるようにしている。
さらに、そのポンプ本体２２周囲を囲む二重壁構造に形成されたカバー部分内側の空気層１３により、動作中のポンプ２０が発する騒音が、そのカバー１０部分外側に漏れ出すのを、効率よく防げるようにしている。
【００２１】
また、空気吸入口１６からカバー１０内側空間に吸入されて、回転する送風ファン３０から送り出される冷却用の空気を、カバーの内側壁面１４をガイドに用いて、ポンプ本体２２周囲面及びポンプの回転軸２４を支持する軸受け部２６周囲面を、満遍なく確実に循環させることができるようにしている。そして、その動作中に高温となるポンプ本体２２及び軸受け部２６を、送風ファン３０から送り出される冷却用の空気により、効率よく冷却できるようにしている。
【００２２】
加えて、図のカバーにおいては、図３に示したように、カバー１０が、ポンプの回転軸２４が、カップリング４０を介して、ポンプ駆動用の電動モータ５０に直結されて、そのカップリング４０にポンプの回転軸２４と共に回転させる送風ファン３０が取着されたポンプ２０のポンプ本体２２及び送風ファン３０の周囲を連続して覆う構造をしている。送風ファン３０の周囲を覆うカバー１０部分には、冷却用の外気をカバー１０内側に吸い込むスリット状等をした空気吸入口１６が設けられている。送風ファン３０側とは反対側の軸受け部２６が備えられたポンプ本体２２端部の周囲を覆うカバー１０部分には、空気吸入口１６からカバー１０内側空間に吸い込まれた空気をカバー１０外側に排出させるスリット状をした空気排出口１８が設けられている。
【００２３】
そして、このような構成により、電動モータ５０により、送風ファン３０を、カップリング４０及びポンプの回転軸２４と共に回転させることできるようにしている。そして、そのカバー１０内側で回転する送風ファン３０により、送風ファン３０の周囲を覆うカバー部分に設けられた空気吸入口１６から冷却用の外気を、カバー１０の内側空間に吸い込むことができるようにしている。そして、その吸い込んだ冷却用の空気を、回転する送風ファン３０により、カバーの内側壁面１４をガイドに用いて、カバー１０内側のポンプ本体２２周囲面や軸受け部２６周囲面を満遍なく確実かつ円滑に循環させることができるようにしている。そして、その冷却用の空気により、フィンの付いたポンプ本体２２や軸受け部２６を効率よく冷却できるようにしている。ポンプ本体２２周囲面や軸受け部２６周囲面を循環させた空気は、送風ファン３０側とは反対側の軸受け部２６が備えられたポンプ本体２２端部の周囲を覆うカバー部分に設けられた空気排出口１８からカバー１０外側に排出できるようにしている。
【００２４】
また、図のカバーにおいては、図１や図３に示したように、カバー１０が、ポンプ本体２２の送風ファン３０側の端部とその反対側の端部の間のポンプ本体２２側面の周囲及び送風ファン３０の周囲を連続して覆うほぼ逆樋状のカバー本体１１と、送風ファン３０側とは反対側のポンプ本体２２端部の周囲を、そのほぼ逆樋状のカバー本体１１の外側端部を封ずるように覆うカバー蓋１５とから構成されている。そして、図１と図２に示したように、カバー蓋１５をポンプ本体２２に２本の雄ねじ１７によりワッシャを介してねじ止めすることにより、カバー蓋１５及びカバー本体１１をポンプ本体２２及び送風ファン３０の周囲を連続して覆った状態にポンプ本体２２に固定できるように構成されている。
【００２５】
そして、そのような構成により、カバー蓋１５をポンプ本体２２にねじ止めしている２本の雄ねじ１７を取り外して、カバー蓋１５を、ポンプ本体２２及びカバー本体１１から取り外すことができるようにしている。そして、そのカバー蓋１５で覆われていた送風ファン３０側とは反対側の軸受け部２６が備えられたポンプ本体２２の端部をカバー１０外部に露呈させることができるようにしている。そして、ポンプの回転軸２４の軸端に設けられた、回り止めワッシャ２１を介して軸受け押さえボルト２３により固定された軸受け内輪と、ポンプの回転軸２４との結合を外すことができるようにしている。そして、ロータに嵌挿されたベーンや、ポンプ本体２２端部のポンプの回転軸２４を支持する軸受け部２６に装備されたベアリング等の交換を、カバー本体１１を含むカバー１０全体をポンプ２０周囲から取り外さずとも、手数を掛けずに容易かつ迅速に行うことができるようにしている。
また、そのベーンやベアリング等の交換を終えた後に、ポンプ２０周囲をカバー１０により覆い直す際にも、そのポンプ本体２２及びカバー本体１１から取り外したカバー蓋１５をポンプ本体２２に２本の雄ねじ１７によりねじ止めし直すだけで、そのカバー蓋１５及びカバー本体１１をポンプ本体２２及び送風ファン３０の周囲を連続して覆った状態にポンプ本体２２に固定できるようにしている。そして、そのカバー蓋１５及びカバー本体１１によりポンプ２０の周囲を容易かつ迅速に連続して覆い直すことができるようにしている。
【００２６】
さらに、図のカバーにおいては、図１と図２に示したように、そのほぼ逆樋状のカバー本体の上部１１２と左右の側部１１４とがそれぞれ別体に形成されている。そして、それらのカバー本体の上部１１２と左右の側部１１４とが、その左右のカバー本体の側部１１４をカバー本体の上部１１２に対してカバー本体１１外側に折り曲げて、カバー本体１１の内側空間を広げることが可能なように、ヒンジ１９を介して、互いに連結された構造をしている。
【００２７】
そして、そのような構成により、図１に示したように、そのほぼ逆樋状のカバー本体１１をポンプ２０の周囲から取り外す際に、その左右のカバー本体の側部１１４を、それとは別体に形成されたカバー本体の上部１１２に対して、ヒンジ１９を中心に、カバー本体１１外側に折り曲げて、カバー本体１１の内側空間を広げることができるようにしている。そして、その広げられたカバー本体１１の内側空間からポンプ２０を容易かつ迅速に取り出すことができるようにしている。そして、そのカバー本体１１内側からポンプ２０を取り出す際に、ポンプ２０をその設置場所から取り外して、障害物のない上方空間に多大な手数を掛けて持ち上げる必要をなくすことができるようにしている。
【００２８】
さらに、図のカバーにおいては、カバー１０が、合成樹脂材を用いてブロー成形法により形成された構造をしている。
【００２９】
そして、そのような構成により、その二重壁構造等をしたカバー１０を、形成作業の容易な合成樹脂材を用いてブロー成形法により手数を掛けずに容易かつ迅速に成形できるようにしている。
また、その防音効果の高い合成樹脂材からなるカバー１０により、ポンプ２０が発する騒音がカバー１０外側に漏れ出すのを、効率よく防げるようにしている。それと共に、その断熱効果の高い合成樹脂材からなるカバー１０により、ポンプ２０が発する熱が、カバー１０外部に伝わるのを、効率よく防げるようにしている。
さらに、その比重の小さい合成樹脂材から形成されるカバー１０の軽量化を図れるようにしている。
【００３０】
なお、本発明のカバーは、ポンプの回転軸２４が、ベルト及びプーリ等を介して、ポンプ駆動用の電動モータ５０に連結された構造の回転ベーンポンプ２０の周囲を覆うカバーにも、利用可能である。
また、本発明のカバーは、ほぼ逆樋状をしたカバー本体１１とカバー蓋１５以外の複数のカバー部品を組み合わせて構成することも、可能である。
さらに、本発明のカバーは、合成樹脂材以外の、断熱性、防音性に優れた部材を用いて形成することも、可能である。
【００３１】
【発明の効果】
以上説明したように、本発明のカバーによれば、その構造が大幅に簡易化された、製造の容易な、防音効果及び断熱効果の優れた、軽量のカバーを提供できる。また、そのカバー内側に収容されたポンプを、カバー外側に取り出す作業の大幅な容易化、迅速化を図れる。そして、そのカバー内側に収容されたポンプ本体内側の摩耗したベーンの交換や、そのポンプの軸受け部に装備されたベアリングの交換等のメンテナンス作業を大幅に容易化、迅速化できる。また、そのメンテナンスを終了したポンプをカバー内側に収容し直す作業も、大幅に容易化、迅速化できる。さらに、カバー内側からポンプを取り出す作業、及びカバー内側にポンプを収容し直す作業共、ポンプをその設置場所から障害物のない上方空間に取り上げて、そのポンプ周囲を覆っているカバーの固定ボルト等を取り外したり、その固定ボルト等を取り付けし直したりする必要をなくすことができる。そして、カバー内側に収容されたポンプのメンテナンスの作業性を、大幅に改善できる。
【図面の簡単な説明】
【図１】本発明のカバーの分解説明図である。
【図２】本発明のカバーの使用状態を示す正面図である。
【図３】本発明のカバーの使用状態を示す正面断面図である。
【符号の説明】
１０　カバー
１１　カバー本体
１２　消音空間
１４　カバーの内側壁面
１５　カバー蓋
１３　空気層
１６　カバーの空気吸入口
１８　カバーの空気排出口
１９　ヒンジ
２０　回転ベーンポンプ
２２　ポンプ本体
２４　ポンプの回転軸
２６　ポンプの軸受け部
３０　送風ファン
４０　カップリング
５０　電動モータ
１１２　カバー本体の上部
１１４　カバー本体の側部
【図１】
2004027902.tif 000003
【図２】
2004027902.tif 000004
【図３】
2004027902.tif 000005